(57)【要約】【課題】建築現場や土木作業の現場における離れた２点間の水平度や垂直度の測定を簡便に行なうために従来から使われて来た水糸と水平器とを基本的な組合せとした測定器具を提供する。【解決手段】本体１に設けられた測定表示線２の一端を基点として動作させる水糸３を任意の測定点まで張り把持部１１を握って引き気味に扱うことにより該水糸３に張力を与えるようにした２点間の水平度、垂直度測定器であって、本体１に設けられた測定表示線２の一端を基点として動作させる水糸３と、該水糸３を指示糸として水平を表示するために本体１に取付けられた少なくとも１個の気泡式水準器とからなる。また測定表示線２が設けられた面と平行な面に１個の気泡式水準器４を設ける共に、該気泡式水準器４の取付けられた面と実質的に垂直となる面に少なくとも１個の気泡式水準器５を設けるようにした。【選択図】図１
2004170402.tif 000002
【特許請求の範囲】
【請求項１】
本体（１）に設けられた測定表示線（２）の一端を基点として動作させる水糸（３）を任意の測定点まで張り、把持部（１１）を握って引き気味に扱うことにより該水糸（３）に張力を与えるようにした２点間の水平度、垂直度測定器であって、本体（１）に設けられた測定表示線（２）の一端を基点として動作させる水糸（３）と、該水糸（３）を指示糸として水平を表示するために本体（１）に取付けられた少なくとも1個の気泡式水準器とからなる２点間の水平度、垂直度測定器。
【請求項２】
測定表示線（２）が設けられた面と平行な面に１個の気泡式水準器（４）を設ける共に、該気泡式水準器（４）の取付けられた面と実質的に垂直となる面に少なくとも１個の気泡式水準器（５）を設けた請求項１記載の２点間の水平度、垂直度測定器。
【請求項３】
本体（１）の測定部（１３）に水糸停止装置（７）を取付けた請求項１又は２記載の２点間の水平度、垂直度測定器。
【請求項４】
本体（１）の測定部（１３）に水糸ガイド（１４）を設けた請求項１又は２記載の２点間の水平度、垂直度測定器。
【請求項５】
本体（１）の測定部（１３）に反射鏡（１６）を取付けた請求項１又は２記載の２点間の水平度、垂直度測定器。
【請求項６】
本体（１）に三脚（２３）取付け用のアタッチメント（１７）を取付けた請求項１又は２記載の２点間の水平度、垂直度測定器。
【発明の詳細な説明】
【技術分野】
【０００１】
本発明は任意の２点間の水平度と垂直度を簡便に測定するための測定器具に関するものである。
【背景技術】
【０００２】
通常、水平器と呼ばれるものは、直方体状の本体に1つ以上の気泡管と呼ばれる内部に気泡を有する円柱状のガラス管が取付けられたものである。用途としては構築物の設置面及び設置した構築物の上面等に置いた時の気泡の位置を観察し、水平度を調べるものである。上記の水平器を用いて、離れた２点間の水平度を求めようとする場合、水糸を張った上に水平器を当てて見るというような作業をする。一方、ある任意の点からの鉛直度を求める時、下げ振りと呼ぶ円錐状の先端部を持つ錘を、糸の先に付けて垂らす作業も行なわれる。
【０００３】
一方、離れた２点間の水平度を測定出来るとした先行技術の実例として特許文献１から特許文献５までを挙げた。まず特許文献１と特許文献２であるが、このものは分度器を表示部とし、水糸により分度器または指標を動かし測定する。上記１及び２以外の先行技術の実例として、特許文献３では張られた水糸に特殊な小型の水平器を取付けて水平度を測定するという手法が採られている。特許文献４では測定部に基準線を設け水糸を動かして水平度測定をするようである。また特許文献５では分度器と水糸と気泡式水準器とを用いて水平度を含む角度の測定を行なう。
【特許文献１】実開昭５７―１３９１５号公報
【特許文献２】実開昭５８―１３０２１１合公報
【特許文献３】実開平６―５３９２４号公報
【特許文献４】特開２００２―２０２１３１号公報
【特許文献５】特開２００３―２８６３７号公報
【発明の開示】
【発明が解決しようとする課題】
【０００４】
水糸と水平器を利用して水平度を調べる場合、水糸を張った上に水平器を当てて見るのであるが、水平器の重みで水糸が沈んだりして不正確な測定結果を招きやすく、水糸自体も長時間張っている内に緩んでくることもある。また、水糸を張る手間も掛かる。一方、下げ振り作業においても錘が停止するまでに時間が掛かったり、風の影響が有ったりする。
【０００５】
一方、先行技術としてあげた特許文献１では本体自体の水平性を確定しないと測定出来無いようなので測定出来る場所が限られてくる。また特許文献２では水平器を有せず、どのようにして水平度を調べるのか疑問である。特許文献３においては水糸が測定器具の重みで若干ながら沈み込みそうであり、水糸の高さを調整し直す手間も掛かりそうである。特許文献４においては特殊な用途に使われる物のようであり汎用性は低いようである。また特許文献５においては分度器の半径の寸法に測定精度が係わりあってくる。
【０００６】
以上の事柄から考察すると、従来の測定方法の問題点は水糸の使い方に有ると思われる。つまり本来は測定点間の水平度を指示させるための指示糸として使われるための水糸を、同じく測定点間に於ける所の水平度の絶対基準線として共用している訳であるから、水糸は動かないといけない役割と、動いてはいけない役割との矛盾した２つの役割とを負わされていることになり、不正確で時間と手間の掛かる測定を招くことになる。
【０００７】
一方、上記先行技術の実例においては、特許文献４のように水糸に指示糸としての役割を受け持たせる試みもあるがそれほど実用的とは思われない。但し特許文献５においては水糸は指示糸として役割分担されている。しかしながら測定表示部分が分度器の半径分しかないため、測定精度が分度器の径に左右される。つまり分度器の径が大きいほど測定精度は上がるが測定器自体の大きさも大きいものとなってしまう。
【０００８】
考察の結果から本出願において目的としたのは、従来から使われて来た水糸と水平器とを基本的な組合せとした上で、離れた２点間の水平度と垂直度の測定が簡便に行なえる測定器具を提供することである。
【課題を解決するための手段】
【０００９】
上記目的を達成する為に、本出願の請求項１のものは、本体１に設けられた測定表示線２の一端を基点として動作させる水糸３を任意の測定点まで張り、把持部１１を握って引き気味に扱うことにより該水糸３に張力を与えるようにした２点間の水平度、垂直度測定器であって、本体１に設けられた測定表示線２の一端を基点として動作させる水糸３と、該水糸３を指示糸として水平を表示するために本体１に取付けられた少なくとも１個の気泡式水準器とからなることを特徴としている。
【００１０】
上述のことにより、本器は水糸３を任意の測定点との間に張り、気泡式水準器の気泡の位置を調整しながら、水糸３を測定表示線２に合致させる様に操作を行なって行く、そして気泡式水準器の気泡の位置が水平を示し、水糸３が測定表示線２に合致した時に、水糸３及び測定表示線２は任意の測定点との間において平行状態となる。従って測定者は張られた水糸３上の任意の点を確認すれば水平度または垂直度の測定が完了する。
【００１１】
請求項２の２点間の水平度、垂直度測定器においては、測定表示線２が設けられた面と平行な面に１個の気泡式水準器４を設ける共に、該気泡式水準器４の取付けられた面と実質的に垂直となる面に少なくとも１個の気泡式水準器５を設けたことを特徴としている。これら少なくとも２個の気泡式水準器を本体に組み込むことにより気泡式水準器４を水平度測定用として、気泡式水準器５を上方向への垂直度測定用として、そして気泡式水準器６を下方向への垂直度測定用として使用することが出来る。
【００１２】
請求項３の２点間の水平度、垂直度測定器においては、本体１の測定部１３に水糸停止装置１４を取付けたことを特徴としている。
【００１３】
請求項４の２点間の水平度、垂直度測定器においては、本体１の測定部１３に水糸ガイド１４を設けたことを特徴としている。
【００１４】
請求項５の２点間の水平度、垂直度測定器においては、本体１の測定部１３に反射鏡１６を取付けたことを特徴としている。
【００１５】
請求項６の２点間の水平度、垂直度測定器においては、本体１に三脚２３取付け用のアタッチメント１７を取付けたことを特徴としている。
【発明の効果】
【００１６】
以上説明した様に本出願の２点間の水平度、垂直度測定器により、従来の測定方法に比べて簡便に測定が可能である。また水平度の測定と垂直度の測定とで別々の測定器具を用意する必要が無いので大幅に作業能率の向上が図れる。また反射鏡を取付けることにより測定者の負担の低減や視認性の向上が図れる。
【発明を実施するための最良の形態】
【００１７】
本発明は従来から使われて来た水糸と水平器とを基本的な組合せとした上で、離れた２点間の水平度と垂直度の測定が簡便に行なえる測定器具を提供することにある。
【実施例１】
【００１８】
図１は本出願の請求項１及び請求項２を備えた一実施形態の２点間の水平度、垂直度測定器を示した斜視図である。Ｔ字型の本体１は、方形な把持部１１と把持部から鉛直に延びる測定部とからなり、把持部には指通し穴１０を設けてある。そして本器に於ける角度の絶対基準線である測定表示線２が水糸通し穴８を基点として測定部の端部まで中央部分に引かれている。また水糸通し穴８を基点として逆方向に測定補助線１２が引かれている。
【００１９】
そして測定表示線２の設けられた面と直交する上面に気泡式水準器４を測定表示線２の面と平行になるように設け、また把持部１１にこの気泡式水準器４と実質的に垂直となるように気泡式水準器５と気泡式水準器６とを平行させて別々の面に取付けられている。そして水糸３が上記測定表示線２の一端でもある水糸引出し穴８を基点として動作する様になっている。
【００２０】
図２は図１の本体１を上方から見た平面図である。水糸３は図１において裏面に配設される水糸巻き取り装置９に巻き取られており、水糸通し穴７を通った後、水糸引出し穴８から引き出され、任意の測定点まで引き伸ばし結ぶようにする。
【００２１】
次に測定器としての特徴を説明すると、本器は本体１に取付けられた気泡式水準器４または気泡式水準器５または気泡式水準器６によって水平性を確保することと、任意の測定点まで張られた指示糸としての水糸３を角度の絶対基準線である測定表示線２に合致させることによって水平度および垂直度の測定を行なう。その際に重要な役割を果たしているのが指通し穴１０を含む把持部１１である。つまり把持部１１を５本の指と手の平とでしっかりと握って本器を測定者の手元の方に引き気味に扱うことにより、水糸３に適当な張力を与えながら測定表示線２に合致させて行くという操作が短時間で容易に行なえる。また水糸３に張力を与えることにより被測定点が地上から離れて空中に有る場合でも、本器は簡便に測定が可能であり、また少々の風なら影響も受けにくい。
【００２２】
本器の使い方として水平度の測定を例にとって図２から示すと、まず水糸３が水糸巻き取り装置９から、水糸通し穴７を通り、水糸引き出し穴８の部分から少し引き出されているので、更に水糸３を引き出して図３に示す様に任意の測定点ｘに水糸３の先端を結んで固定し、本器をもう一方の測定点へと移動させながら水糸３を続けざまに出して行く。そして本器をもう一方の測定点へ移動し終わった時点で水糸巻き取り装置９を巻き締めると共に、把持部１１を強く握って引っ張ることにより水糸３に張りを持たせる。そして本器に取り付けられた気泡式水準器３個の内、気泡式水準器４を使用して本器の水平性を確定させながら、同時に測定表示線２に水糸３を合致させて行く。そして気泡式水準器４が水平を示し、測定表示線２に水糸３が合致した時に、本器と任意の測定点とは平行状態となるので本体１に設けられた測定補助線１２の終端部であるｙの位置か水糸３上にある支柱２１上の任意の点ｚを確認すれば水平度の測定は完了する。
【００２３】
図４は測定表示線２を上手方向にして壁２２の上方向への垂直度測定を行なっていることを示した図面である。本体１は気泡式水準器５によって水平性が確定されており、水糸３が任意の測定点ｘに結びつけられて固定された上で測定表示線２に合致されている。そして測定補助線１２の終端部であるｙまたは中間ｚの位置を確認すれば測定は完了する。
【００２４】
図５は測定表示線２を下手方向にして壁２２の上面から下方向への垂直度測定を行なっていることを示した図面である。本体１は気泡式水準器６によって水平性を確定されており、水糸３が任意の測定点ｘに結びつけられて固定された上で測定表示線２に合致されている。そして測定補助線１２の終端部であるｙまたは中間ｚの位置を確認すれば測定は完了する。
【００２５】
本発明２点間の水平度、垂直度測定器においては測定表示線の長さを出来るだけ長く取ることにより測定精度は向上する。また気泡式水準器を見やすい位置に取付けることや水糸位置の読み取りやすさも重要である。そして水糸に張力を与えるための把持部の設定に留意した設計も必要である。また反射鏡を取付けることにより測定者の負担の低減や視認性の向上が図れる。
【実施例２】
【００２６】
図６は別の実施態様を示すものであって、実施例１とほぼ同様にＴ字型の本体１は、楕円形な把持部１１と把持部から鉛直に延びる測定部１３とからなり、把持部１１には指通し穴１０を設けてある。そして本器に於ける角度の絶対基準線である測定表示線２が水糸ガイド１５の水糸引出し穴８を基点として測定部の端部まで中央部分に引かれている。また把持部１1には測定表示線２の延長線上に測定補助線１２が引かれている。
【００２７】
そして実施例１と同様に測定表示線２の設けられた面と直交する上面に気泡式水準器４を測定表示線２の配設面と平行になるように設け、この気泡式水準器４と直交するように本体１内に気泡式水準器５を設ける。また測定表示線２が引かれている面に水糸巻き取り装置９、水糸停止装置１４、水糸ガイド１５が水糸３の引き出し方向に順に設けられている。
【００２８】
水糸巻き取り装置９と水糸ガイド１５の間に配設される水糸停止装置１４の基板は、本体１上面に固設されヒンジで制止片１４ａを揺動自在に支持する。そして制止片に設けたつまみ１４ｂを離すと制止片１４ａが測定部１３の面に密着し、つまみ１４ｂの裏面に配した磁石が本体内に埋設した鉄片に吸着して水糸３を係止するようになっている。従ってつまみ１４ｂを引くと水糸３は開放される。また測定部１３に長手方向に設けられる水糸ガイド１５は、その背面に設けた水糸通し穴７が測定表示線２に合致するように測定部１３の面に固着してある。
【００２９】
実施例２の本器の使い方を水平度の測定を例にとり図６及び図７で説明する。まず水糸３が水糸巻き取り装置９から水糸停止装置１４が備えられた個所を通った後、水糸ガイド１５を経由して水糸引き出し穴８から少し引き出されているので、更に水糸３を引き出して図７に示す様に任意の測定点ｘに水糸３の先端を結んで固定し、本器をもう一方の測定点へと移動させながら水糸３を続けざまに出して行く。そして本器をもう一方の測定点へ移動し終わった時点で水糸停止装置１４を使用して水糸３が更に引出されるのを停止する。そして把持部１１を強く握って引っ張ることにより水糸３に張りを持たせる。そして本器に取り付けられた気泡式水準器２個の内、気泡式水準器４を使用して測定表示線２の水平性を確定させながら、同時に水糸３を該測定表示線２に合致させて行く。そして気泡式水準器４が水平を示し、測定表示線２に水糸３が合致した時に、本器と任意の位置に設置した支柱２１上の測定点とは平衡状態となるので本体１に設けられた測定補助線１２の終端部であるｙの位置か水糸３上の中間に設置した支柱２１上の点ｚの位置を確認すれば水平度の測定は完了する。
【００３０】
図８は測定表示線２を上手方向にして壁２２の上方向への垂直度測定を行なっていることを示した図面である。本体１は気泡式水準器５によって水平性が確定されており、水糸３が任意の測定点ｘに結びつけられて固定された上で測定表示線２に合致されている。そして測定補助線１２の終端部であるｙまたは中間ｚの位置を確認すれば測定は完了する。
【実施例３】
【００３１】
図９は実施例２の測定器に請求項３の反射鏡１６を取付けた状態を示した斜視図である。反射鏡１６は本体１の測定部１３の下端に開き角度を持たされて取付けられる。
【００３２】
図１０は反射鏡１６を使用して図９の状態を上方から見た平面図である。図６に示した実施例２の測定器の場合、測定者の目線は測定部１３の斜め横方向から測定表示線２に水糸３が合致するのを確認するが、図９に示した反射鏡１６付きの場合、測定者の目線は反射鏡１６に写る測定表示線２と水糸３の虚像２０の動きを上方向から見て確認すれば良いので測定者の負担も減り、測定精度も向上する。
【００３３】
すなわち測定表示線２上における水糸３の動きを測定者が反射鏡１６を介して見ることが出来、測定者の目線の移動を反射鏡１６無しに比して少なくすることが出来ることで視認性が高められ測定精度の向上が図れる。具体的に述べると反射鏡１６無しの場合、測定者は上方向から気泡式水準器４の気泡位置を確認しながら、本体１の斜め横方向から測定表示線２上における水糸３の動きを見ることになるのに比べて反射鏡１６有りの場合は気泡式水準器４を見る時と同じく上方向から見ることが出来るようになり測定者の目線の移動が少なくて済むので測定者の負担が減り、視認性も高まり測定精度も向上する。
【００３４】
以上説明したように本測定器によれば、水平度測定の場合には本体１に取付けられた気泡式水準器４を、そして垂直度測定の場合には気泡式水準器５によって本器における角度の絶対基準線である測定表示線２の水平性または垂直性を確保した上で、該測定表示線２の一端から任意の測定点まで張られた指示糸としての水糸３を測定表示線２に合致させることによって水平度および垂直度の測定を行なうことが出来る。
【００３５】
そして水平度測定の際に重要な役割を果たしているのが指通し穴１０を含む把持部１１である。つまり把持部１１を５本の指と手の平とでしっかりと握って水糸３を引き気味に扱うことにより、水糸３に適当な張力を与えながら測定表示線２に合致させて行くという操作が短時間で容易に行なえる。また垂直度測定の際にも把持部１１の役割は重要である。そしてまた水糸３に張力を与えることにより被測定点が地上から離れて空中に有る場合でも、本器は簡便に測定が可能であり、また少々の風なら影響も受けにくい。
【実施例４】
【００３６】
また図１１のように本器を市販の三脚２３等へのアタッチメント１７を取付けて三脚２３で固定することにより把持部１１を引くことなく安定的に測定作業をすることが出来る。
【図面の簡単な説明】
【００３７】
【図１】本発明測定器、実施例１の斜視図である。
【図２】実施例１の測定器を上方から見た平面図である。
【図３】実施例１の測定器を使用した水平度測定の説明図である。
【図４】実施例１の測定器を使用した上方向への垂直度測定の説明図である。
【図５】実施例１の測定器を使用した下方向への垂直度測定の説明図である。
【図６】本発明測定器、実施例２の斜視図である。
【図７】実施例２の測定器を使用した水平度測定の説明図である。
【図８】実施例２の測定器を使用した上方向への垂直度測定の説明図である。
【図９】本発明測定器、実施例３の斜視図である。
【図１０】実施例３の測定器を上方から見た平面図である。
【図１１】本発明測定器、実施例４の斜視図である。
【符号の説明】
【００３８】
１  本体
２  測定表示線
３  水糸
４、５，６  気泡式水準器
７  水糸通し穴
８  水糸引出し穴
９  水糸巻き取り装置
１０  指通し穴
１１  把持部
１２  測定補助線
１３  測定部
１４  水糸停止装置
１４ａ  制止片
１４ｂ  つまみ
１５  水糸ガイド
１６  反射鏡
１７  三脚用アタッチメント
２０  虚像
２１  支柱
２２  壁
【図１】
2004170402.tif 000003
【図２】
2004170402.tif 000004
【図３】
2004170402.tif 000005
【図４】
2004170402.tif 000006
【図５】
2004170402.tif 000007
【図６】
2004170402.tif 000008
【図７】
2004170402.tif 000009
【図８】
2004170402.tif 000010
【図９】
2004170402.tif 000011
【図１０】
2004170402.tif 000012
【図１１】
2004170402.tif 000013